(57)【要約】  人または動物の死体を閉じ込め、保管するのに使用するための棺。棺は、内部空間を画定する壁を備える管状筐体を備え、壁はセルロース繊維材料から形成され、死体を内部空間内に保持することができる。棺は、使用するときに体を受け入れ、保持する部分をさらに備える。本発明は、円筒状の管状形態であり、火葬／埋葬容器として働くための容器を形成するものであり、角部、角度、および鋭敏な縁を有さず、生分解性材料から製造される。本発明は、解放可能な固定を必要とする端壁などの要素を固定するために好ましくはステンレス鋼のねじを使用することを企図する。１つの適切な非毒性の生分解性材料は、ボール紙などの再生セルロース繊維または使用済み紙製品である。本発明の構築に使用される他の材料は、植栽木骨造、合板端部閉鎖具、ねじ固定、必要に応じて水性接着剤、非毒性水性塗料、および多量の水性工芸用接着剤を含む。
2019530513.tif 000002
【特許請求の範囲】
【請求項１】
人または動物の死体を閉じ込め、保管するのに使用するための棺アセンブリであって、内部空間を画定する壁を備える管状筐体を備え、前記壁は生分解性材料から形成され、前記死体を前記内部空間内に保持することができ、棺は、さらに、前記棺を支持し、回転に対する抵抗をもたらす少なくとも１つの地面係合構成物をさらに備える、棺アセンブリ。
【請求項２】
前記管状筐体が、取り外し可能な端壁を含む、請求項１に記載の棺アセンブリ。
【請求項３】
前記筐体が、前記筐体から軸方向に取り出すことができる容器を内部に受け入れ、保持する、請求項２に記載の棺アセンブリ。
【請求項４】
前記生分解性材料が、セルロース繊維である、請求項３に記載の棺アセンブリ。
【請求項５】
前記管体が、セルロース繊維材料のらせんスパイラルから形成される、請求項４に記載の棺アセンブリ。
【請求項６】
前記管体が円筒状である、請求項５に記載の棺アセンブリ。
【請求項７】
前記取り外し可能な端壁が、合板から作製される、請求項６に記載の棺アセンブリ。
【請求項８】
前記地面係合構成物が、前記管状筐体の下側部の輪郭を受け入れ、保持する少なくとも１つのサドルである、請求項７に記載の棺アセンブリ。
【請求項９】
前記管状棺筐体が、上側部と、共働する下側部とを備える２つの部分で形成される、請求項１に記載の棺アセンブリ。
【請求項１０】
前記２つの部分が、前記管体に沿った長手方向の切断によって形成される、請求項９に記載の棺アセンブリ。
【請求項１１】
前記第１の部分および第２の部分が、自由端縁内で終端する湾曲した円周方向壁を有する、請求項１０に記載の棺アセンブリ。
【請求項１２】
各部分の円周方向長さが、前記長手方向の切断の場所によって定められる、請求項１１に記載の棺アセンブリ。
【請求項１３】
前記長手方向の切断が、前記管体の赤道領域においてまたは赤道領域近くで行われる、請求項１２に記載の棺アセンブリ。
【請求項１４】
前記管体が、円筒状である、請求項１３に記載の棺アセンブリ。
【請求項１５】
前記第１および部分の前記自由端縁が、補強される、請求項１４に記載の棺アセンブリ。
【請求項１６】
前記第２の下側部上に、地面係合支持をもたらす少なくとも１つの構成物が提供される、請求項１５に記載の棺アセンブリ。
【請求項１７】
前記少なくとも１つの構成物が、前記下側部の前記円周方向壁を越えて径方向に延びる、２つの径方向に配設され、離間された構成物を備える、請求項１６に記載の棺アセンブリ。
【請求項１８】
前記縁の補強材が、前記第１の部分と第２の部分との間の相互係合を容易にする共働構成物を提供する、請求項１７に記載の棺アセンブリ。
【請求項１９】
前記管状筐体の開放端部がそれぞれ、前記開放端部の外形を収容するために合板形状の閉鎖具を使用して閉じられる、請求項１８に記載の棺アセンブリ。
【請求項２０】
前記閉鎖具が、前記管状筐体内の前記補強材にねじ込まれる、請求項１９に記載の棺アセンブリ。
【請求項２１】
前記径方向に配設された構成物がそれぞれ、前記壁の外側円周表面に固定された木材レールを含む、請求項２０に記載の棺アセンブリ。
【請求項２２】
前記木材レールが、前記環状壁の構築の同じ材料を使用して覆われ、隠される、請求項２１に記載の棺アセンブリ。
【請求項２３】
自由端縁が、木材支柱を使用して補強される、請求項２２に記載の棺アセンブリ。
【請求項２４】
前記自由端縁が、前記自由端のところの、または前記自由端近くの前記壁内の厚みによって補強される、請求項２２に記載の棺アセンブリ。
【請求項２５】
前記自由端縁が、前記自由端縁の長さの少なくとも一部に沿って内方向にめくり上げられた戻り部によって補強される、請求項２２に記載の棺アセンブリ。
【請求項２６】
前記第１および第２の部分が、断面で見て類似の寸法を有する、請求項２２に記載の棺アセンブリ。
【請求項２７】
側面から見て前記第１の部分が、赤道領域と、円周方向部と、前記第１の部分に類似し、赤道領域を有する第２の部分とを有する、請求項２６に記載の棺アセンブリ。
【請求項２８】
前記管状筐体が、円筒状であり、２つの共働する対向半体から製造され、その上部半体が蓋を形成するように一方が他方に枢動的に連結される、請求項２７に記載の棺アセンブリ。
【請求項２９】
人または動物の死体を閉じ込め、保管するのに使用するための棺であって、内部空間を画定する壁を備える管状筐体を備え、前記壁はセルロース繊維材料から形成され、前記死体を前記内部空間内に保持することができ、前記棺は、前記管状筐体を形成するように共働する２つの対向する上側部および下側部を備え、前記壁は、前記棺を支持し、前記棺に回転安定性を付与する径方向構成物を含む、棺。
【請求項３０】
前記管状本体が、円筒状である、請求項１に記載の棺アセンブリ。
【発明の詳細な説明】
【技術分野】
【０００１】
[0001]本発明は、一般に、死体の管理のための保管装置および設備に関し、詳細には製造が経済的であり、使用が便利であり、環境に優しい（生分解性）である生分解性棺アセンブリに関する。より詳細には、本発明は、外部スリーブ筐体と、体を保持し、筐体から分離することができる内部の共働する保管容器とを含む棺アセンブリに関する。本発明はまた、２部分で、すなわち上部および底部を有して製造された管体様棺であり、底部は、少なくとも１つの支持要素を組み込むか、またはこれと共働する。本発明は、基本的に葬儀用棺に適用可能であるが、本発明がその用途に限定されると解釈されるものではなく、以下で説明する装置は、自然災害、戦争、および建造環境において発生する災害などの事象中の体の保管のための多くの他の用途も有することを理解されたい。
【背景技術】
【０００２】
[0002]葬儀業界で使用される棺にはさまざまなタイプが現存している。知られている技術の一例が、欧州特許第１１７２３２３２号に開示されており、これは、意図された目的に適合するのに十分剛性である紙パルプから作製された、環境に優しい棺を教示している。これ以前、棺は、紙パルプ様材料から作製されていたが、これらは構造的脆弱性、および特に、棺の運搬点に通常配置される負荷支承部分における耐久性の欠如に悩まされていた。この特許に開示される棺は、棺箱および蓋を覆う内方向に向けられた垂直凹部を備えて構成される。棺箱底部の各側には、横断方向の管が置かれる。棺の底部は、棺が中央において破損することなく持ち上げ可能であり、重量成分が各側の横断方向レバー内に均一に分散されるように補強される。
【０００３】
[0003]従来技術の別の例では、米国特許第４０３４４４７号明細書は、張り子から作製され、装飾効果を与えるようにも意図された強化リブ（ｒｉｂ）が設けられた、人体用の棺を開示している。
【０００４】
[0004]前述の従来技術から見られ得るように、体の運搬および保管のために提供された解決策は数多くあり、その各々は本質的に目的に合わせて作られるが、通常は従来の形状で形成される。棺の他の例が、以下の公報において開示される−独国特許第４３３０１５１Ａ１号明細書、独国特許第１０２００８０３４１１６Ｂ３号明細書、国際公開第２００９−１３７８９４号、国際公開第０３／０３７２４１号。
【０００５】
[0005]この業界には、それだけに限定されないが、大量の死傷者が生じる環境である戦争および自然災害などの、棺が必要とされる多様な状況に対応するように棺の改良を提供するという長年にわたる切実な要求が存在する。また、より小さい領域内により多くの人々を埋葬する必要性にも対応する、より経済的であり、環境に受け入れられる棺を提供する必要性も増している。さらに、棺の基本的な要求を満たしながらも、経済的であり、審美的であり、ユーザに優しく、知られている技術に勝る環境的および実用的な利点を提供する、改良された棺を提供する必要性も存在する。
【発明の概要】
【０００６】
[0006]本発明は、知られている棺に対する代替策、特にセルロース繊維（ボール紙）および軽量材料などの生分解性材料から作製されたものを提供する。本発明は、基本的に、軽量棺に適用可能であり、これ以後、この例示的な用途に関連して本発明を説明することが好都合となろう。しかし、本発明は、その用途に限定されると解釈されるものではない。
【０００７】
[0007]本発明は、知られている棺の代替策となる全体的に管状の棺を提供し、この棺は、経済的であり、構築が簡単であり、恒久的または一時的な棺桶として便利に収容可能であり、また、向上した、より効率的な死体の保管をもたらし、知られている技術のすべての特質を備える。本発明は、さらに、製造が迅速で容易であり、軽量であり、容易に積み重ね可能であり、輸送可能である棺を提供し、棺は、地面係合または関連する支持体との係合を可能にする支持構成物を含む。
【０００８】
[0008]本発明は、その最も広義の形で：
人または動物の死体を閉じ込め、保管するのに使用するための棺であって、内部空間を画定する壁を備える管状筐体を備え、壁は、セルロース繊維材料から形成され、死体を内部空間内に保持することができ、棺は、さらに、支持を与え、使用するときに望ましくない軸方向回転に棺が抵抗することを可能にする、一体型または脱着可能な構成物を備える、棺を備える。１つの実施形態によれば、管状棺は、その内部に、体を内部に受け入れ保持し、管体から長手方向に解放可能である、引き出し様容器を保持する。代替の実施形態によれば、棺は、管体を形成するように共働する２部分で提供され、それら部分の一方は、蓋を形成し、それら部分の他方は、棺の望ましくない軸方向回転に抵抗する構成物を有する地面係合ベースを形成する。
【０００９】
[0009]１つの実施形態によれば、第１の部分は、一体的に連結された半球体の下側半体である。別の実施形態によれば、第１の部分は、棺の長手方向長さに沿って分割された棺の半体である。別の実施形態によれば、第１の部分は、管状筐体の内側に嵌合する引き出し様部材である。好ましい実施形態による筐体は、セルロース繊維材料の少なくとも一片から形成された円筒状のセルロース繊維管状構成物である。代替の実施形態によれば、円筒状筐体は、２つの共働する対向半体から製造され、上部半体が蓋を形成するように、一方は他方に枢動式に連結される。
【００１０】
[0010]本発明は、その別の広義の形で、
人または動物の死体を閉じ込め、保管するのに使用するための棺であって、内部空間を画定する壁を有する管状筐体を備え、壁は、セルロース繊維材料から形成され、死体を内部空間内に保持することができ、棺は、さらに、使用するときに体を受け入れ、保持し、筐体から取り外し可能である引き出し様容器を備える、棺を備える。
【００１１】
[0011]好ましくは、容器は、筐体の端部を介して、または半球部分を、一緒になって管状筐体を形成する対向半球部分から分離することによって、軸方向に取り外し可能である。好ましい実施形態によれば、棺本体は、円筒状管体として形成され、赤道場所においてその長い軸に沿って長手方向に切断される。各棺に必要とされる蓋および容器の相対サイズに応じて、代替の緯度において分割切断が行われ得ることが、理解されるであろう。
【００１２】
[0013]本発明は、別の広義の形で、
セルロース繊維から製造される棺であって、人間または動物の体を内部に受け入れ、保持することができる筐体を形成する管状本体を備え、筐体は、少なくとも１つの部分から形成され、体保持凹部と、棺を支持し固定する地面係合要素とを含む、棺を備える。
【００１３】
[0014]１つの実施形態によれば、管状本体は円筒状である。１つの実施形態によれば、筐体は、２つの共働する半体から形成され、一方の前記半体は、体を保持するための内部凹部を画定する。代替の実施形態によれば、管状本体は、その内部に、前記体を保持する、共働する取り外し可能な挿入体を受け入れ、保持する。
【００１４】
[0015]好ましくは、棺は、生分解性材料（好ましくはセルロース繊維）から作製され、管状であり、半体であってよいか、または各々が係合して共働する限り異なる円周範囲を有してよい２つの対向部分を備えるように製造される。理想的には、２つの部分間の接合部は、概念的な赤道近くに生じる。
【００１５】
[0016]棺の各部分上の終端壁縁は、好ましくは、厚み、または内方向に向けられた縁戻り部分などの、壁と一体的であるか、または壁縁にまたはその近くに嵌合された別個の支柱である固定材を有する。管体形状は、本質的には、棺に含まれた死体の形状を覆い隠し、これは、一部の文化では好まれる。また、この管状の幾何学形状は、鋭敏な縁および角部を無くし、棺の構造的容量に寄与するが、壁を厚くし、補強リブなどの補強材を含むことによって、強度は高められ得る。
【００１６】
[0017]１つの実施形態では、棺を受け入れ、保持するために、サドル（saddles）が設けられる。好ましくは、棺の外部壁輪郭に適合する円形サドルが、地面係合支持および安定性をもたらす。１つの実施形態によれば、サドルは、製造中の成形または構成によって棺壁と一体的になる。あるいは、サドルは別個のものである。
【００１７】
[0018]これらは本発明の他の目的と一緒になって、本発明を特徴付ける新規性のさまざまな特徴と共に、本開示に付属し、一部を形成する特許請求の範囲において詳細事項とともに挙げられる。本発明、その作動利点およびその使用によって達成される特有の目的をより良好に理解するために、本発明の好ましい実施形態が示される添付の図および説明事項を参照しなければならない。
【００１８】
[0019]本発明は、知られている従来技術および特定された欠点に対する代替策を提供する。前述および他の目的および利点は、後続の説明から明らかになるであろう。説明において、本発明の一部を形成し、本発明が実施され得る特有の実施形態が例示として示される添付の図に参照がなされる。これらの実施形態は、当業者が本発明を実施することができるように十分詳細に説明され、また、他の実施形態が利用されてよく、本発明の範囲から逸脱することなく構造的変更が加えられてよいことを理解されたい。添付の図では、複数の図を通じて、同じ参照記号は同じまたは類似の部分を示す。したがって、後続の詳細な説明は、限定的意味でとらえられるものではなく、本発明の範囲は、付属の特許請求の範囲によって最適に規定される。
【００１９】
[0020]本発明の以下の詳細な説明を考慮することにより、本発明はより良好に理解され、上記で記載されたもの以外の目的が明確になるであろう。そのような説明は、次に、好ましいが限定的ではない実施形態によって、添付の図を参照してより詳細に説明される。
【図面の簡単な説明】
【００２０】
【図１】１つの実施形態による、支持体上に装着された棺の側面図。
【図２】端部閉鎖具を見せている、図１の棺の斜視図。
【図３】挿入容器を見せるために端部閉鎖具が取り外された、図１の棺の端部斜視図。
【図４】挿入容器が棺筐体の内側から部分的に取り外された、棺の斜視図。
【図５】棺筐体から分離された挿入容器の図。
【図６】代替の引き出しの実施形態を示す図。
【図７】代替の実施形態によるヒンジ留めされた２部分の棺の端部斜視図。
【図８】ヒンジ留めされた蓋を有し、支持クレードル上に配設された棺の側面図。
【図９】上側半球部および下側半球部と、端部ロックとを備える、地面係合支持体によって保持された２部分の棺管体の側面図。
【図１０】図９の棺の端部上に装着されたロッキング要素の拡大図。
【図１１】代替の実施形態による、底部支持レールおよび運搬ハンドルを含む棺の側面図。
【図１２】蓋が下側部から分離された、図１１の棺の端面図。
【図１３】蓋およびベース部が係合された、図１２の実施形態の閉構成を示す図。
【図１４】底部支持レールを露出させるために反転された底部外形を示す図。
【図１５】地面係合支持を与えるためにカバーがレール上に嵌合された、図１４の棺を示す図。
【図１６】ハンドルおよび底部レールの詳細を有する、図１１の棺の拡大側面図。
【図１７】蓋が取り外された、図１６の実施形態の端部斜視図。
【図１８】側部内部強化レールを示す、簡潔化された拡大斜視図。
【図１９】底部と係合する上部半体および側部補強を示す図。
【図２０】棺アセンブリが完全に組立てられた端面図。
【発明を実施するための形態】
【００２１】
[0021]本発明が、次に、好ましいが非限定的である実施形態によって、添付の図を参照してより詳細に説明される。本明細書において参照される例は、例示的であり、本発明の範囲を限定するとみなされるものではない。本発明のさまざまな実施形態が本明細書において説明されてきているが、これらは改変も可能であり、したがって本明細書の開示は、記載された詳細に正確に限定されるのではなく、そのような変更および変形を本説明の範囲内に入るものとして有効にすると解釈されるものである。
【００２２】
[0022]本発明は、取り外し可能であってよい端壁を有する閉じられた管体を備える１つの実施形態と、管体が２つの、対向するが共働する部分から形成された、代替であるが好ましい形態とを参照して説明される。本明細書を通じて、管状への参照は、円筒状、四角形、三角形、矩形などの任意の実行可能な形状の管体への参照となるようにとらえられることが可能であるが、円筒状が、好ましい断面外形である。
【００２３】
[0023]図１を参照すれば、地面係合支持体３および４上に装着されたセルロース管状筐体２を備える１つの実施形態による棺アセンブリ１の側面図が示される。支持体３および４は、筐体２の円形外部壁５を収容する事実上のサドルとして配置される。筐体２は、セルロース繊維から製造された円筒状管体を備え、好ましくは、らせんスパイラルとして１つの従来の方法によって製造された強化ボール紙である。他の方法の構造が企図される。代替の実施形態を参照して以下に説明されるように、棺アセンブリ１は、好ましくは２つの半体である２つの共働する部分で作製され得る。
【００２４】
[0024]図２は、対応する番号を用いて、内部空間７（図３も参照）をシールする端部閉鎖具６を見せている、図１の棺アセンブリの斜視図を示す。支持サドル３および４は、円形壁５の外部輪郭の形状に全体的に適合するように構築される。棺アセンブリ１は、端壁筐体６および６ａ（隠されている）を受け入れるための開口部をいずれの端部にも備えた単一の閉じられた一体品の管体を備える。上部セクションまたは分離可能な下側セクションは存在しない。この場合、管体は一体品として製造される。１つの実施形態によれば、端部閉鎖具６および６ａは、軽い合板または他の適切な軽量および生分解性材料である。サドル３および４もまた、合板、または棺および内容物の重量を支持することができる目的の材料に適する他の適合物から製造され得る。
【００２５】
[0025]図３は、端部視点からの支持体３および４上に装着された図１の棺アセンブリを示し、内部空間７内に配置され、内部空間７によって完全に閉じ込められた挿入容器８を見せるために、端部閉鎖具６は取り外されている。内部容器８は、これが筐体２から長手方向に摺動され得るという点において、引き出し様に動作可能である。使用時、容器８は、死亡した死体を受け入れ、保持し、筐体２とは独立的に移動され得る。
【００２６】
[0026]図４は、対応する番号を用いて、支持体３および４上に装着された棺アセンブリ１の斜視図を示し、挿入容器８は、管状棺筐体２の内側空間７から部分的に取り外されている。容器８は、好ましくは、半球壁９と、使用時に死体（図示せず）を受け入れ保持する内部空間１２を画定する第１の端部１０および第２の端部１１（図５も参照）とを備える。アセンブリ１は、容器８内に補強支柱１５、１６と、リブ１７とを含む。
【００２７】
[0027]図５は、棺筐体２から離された挿入容器８を示す。容器８は、好ましくは、半球壁９と、内部空間１２を画定する第１の端部１０および第２の端部１１とを備える。好ましい実施形態によれば、壁９は、一方の縁部において縁補強部材１３内で、反対の縁部において補強部材１４内で終端する。第１の端部１０は、補強支柱１５によって補強され、第２の端部１１も同様に、補強支柱１６によって強化される。周縁補強に加えて、使用時にフープ応力抵抗を高める少なくとも１つの長手方向リブ１７が設けられる。補強支柱１５、１６およびリブ１７は、端部１０および１１それぞれに固定された適切な長さの木材などの別個の部材によって形成され得る。
【００２８】
[0028]あるいは、補強支柱１５、１６および１７は、セルロース繊維端壁１０および１１の製造プロセスにおいて縁になるように形成され得る。半球壁９は、長手方向支柱１９および１９ａを用いて、壁９の壁、壁縁における折返し部によって補強される。容器８は、摺動して空間７を出入りする。容器８が代替的な形状で形成可能であり、それだけに限定されないが、スライド、ローラなどの使用のような、筐体２への挿入および取り外しを容易にするための手段を備えて構成されてもよいことが、当業者によって理解されるであろう。１つの実施形態によれば、摺動トレイ（容器８）は、体を閉じ込め、管状壁９に挿入される。代替の実施形態では、トレイを受け入れる容器８は、蓋を形成するために隣接するトレイに結合され得る。
【００２９】
[0029]図６は、セルロース管状筐体３１を備える開いた棺３０の斜視図を示す。筐体３１は、セルロース繊維から製造された円筒状の管状／円形壁３２を備え、好ましくは、従来の方法によって製造される強化ボール紙である。棺３０は、端壁３３および３４を含み、その間を長手方向の範囲に広がるのは、内部空間３７を画定する側壁３５および３６である。好ましい実施形態によれば、壁３２は、一方の縁において縁補強部材３８内で、反対の縁において補強部材３９内で終端する。第１の端部は、補強支柱４０を用いて補強され、第２の端部３４も同様に、補強支柱４１を用いて強化される。
【００３０】
[0030]図７は、ヒンジによって接合された２つの、好ましくは半球状の対向する半体の棺の構築を示す、開いた棺の端部斜視図を示す。先に説明され、筐体５１の円形外部壁５２を収容する事実上サドルとして配置された（図示されないが、支持体３および４に類似する）地面係合支持体上に装着された、セルロース管状筐体５１を備える、代替の実施形態による棺アセンブリ５０。筐体５１は、セルロース繊維から製造された円筒状管体を備え、好ましくは、それだけに限定されないがらせんスパイラルなどの従来の方法によって製造された強化ボール紙、たとえば巻き付けボール紙であるが、セルロース繊維壁の製造の他の方法が実行可能であることが理解されるであろう。
【００３１】
[0031]らせんスパイラルから形成された場合、棺は、２つの部分に分離するために長手方向の切断を受け得る。この考えから、筐体５１は、ヒンジ７８、７９、８０、８１および８２によって連結された、２つの対向する半球半体５３および５４に分割されることが見られ得る。上部半体５３は、内部空間５５に、補強支柱５６および５７と、中央リブ５８とを含む。底部５４は、支柱６０によって補強された第１の端部５９と、支柱６２によって補強された第２の端部６１とを備える。壁６４は、長手方向支柱６５および６６と、中間支柱６７によって補強される。
【００３２】
[0032]図８は、支持クレードル７６および７７内に配設されたヒンジ留めされた蓋５３および底部半体５４を有する、ヒンジ留めされた棺アセンブリ５０の側面図を示す。半体５３および５４は、（図７に示されるように）上部半体５３を底部半体５４から離れるように回転させて内部空間５５を露出させることを可能にするためにヒンジ７８、７９、８０、８１および８２を介して取り付けられように示される。棺５０は、アセンブリ５０の対向端部にロッキング閉鎖具８７および８８を含む。
【００３３】
[0033]図９は、地面係合支持体９３および９４上に装着された上側半球部９１および下側半球部９２を備え、端部閉鎖ロック９５および９６を備えた、棺管体アセンブリ９０の側面図を示す。
【００３４】
[0034]図１０は、地面係合支持体９３および９４（図９を参照）によって保持された、上側半球部９１および下側半球部９２を備える棺管体アセンブリ９０の端面図を示す。棺管体アセンブリ９０は、それぞれの半球部９１および９２をロックするための端部パネル閉鎖具９６を含む。ロッキング閉鎖パネル９６が、棺の上側部９１および下側部９２に、それだけに限定されないが、ボルトまたはねじなどの標準的な固定具によって固定される。この図では隠されているロッキング閉鎖具９５（図９を参照）は、棺アセンブリ９０の反対側の端部に嵌合される。ロッキング閉鎖具９６は、締結具９７の列を介して上側部９１に、締結具９８の列を介して下側部９２に固定される。
【００３５】
[0035]図１１は、代替の実施形態による、上側部１０１と、下側部１０２と、支持レール１０３および１０４（隠されている）と、運搬ハンドル１０５および１０６とを含む、棺アセンブリ１００の側面図を示す。説明されたこれまでの実施形態とは異なり、棺は、サドル上に載置するのではなく、棺を支持し、望ましくない軸方向回転に抵抗する、一体的に取り付けられた径方向構成物または支持レール１０３および１０４が設けられる。
【００３６】
[0036]図１２は、対応する番号を用いて、図１１の棺の端面図の分解図を示す。支持レール１０３および１０４は、底部１０２の輪郭付けられた表面１０５に取り付けられてよく、またはこれらは、表面１０５内に成形されてよい。図示する実施形態では、支持レールは、表面１０５にレールを取り付けることによって形成され、レールは次いで図示するように覆われる。レールは、長さのある木材を表面１０５に取り付け、次いで木材を覆うことによって形成され得る。カバーは、取付具であるか、または製造プロセス中、木材レール上に成形される。
【００３７】
[0037]アセンブリ１００は、上側蓋部１０１が下側部１０２から分離されて示される。これは、死体が内部に置かれる挿入体または空洞１４０内に直接置かれた死体を受け入れる空洞１４０を露出させる。上側部１０１は、ダボ（ｄｏｗｅｌ）部材から形成され得る位置決め用雄型突起１０７を含み、これは、凹部１０４内に位置決めして、上側部１０１および下側部１０２の位置合わせを容易にする。追加の位置決め／ロッキング突起が、端縁平坦域１０９および側部平坦域１１０および１１１の周囲回りに配設され得ることが理解されるであろう。
【００３８】
[0038]図１３は、対応する番号を用いて、図１２の実施形態の閉じられた構成を示す。この場合、上側部１０１は、底部１０２と係合される。
【００３９】
[0039]図１４は、底部支持木材レール１０７および１０８を露出させるために反転された底部外形１０２を示す。レール１０７および１０８は、それだけに限定されないが、糊付け、ねじ込み、またはボルト締めなどの従来の手段によって連結される。棺を完成させるために、支持レール１０７および１０８は、図１３に示すように覆われ、支持構成物１０３および１０４を形成する。
【００４０】
[0040]図１５は、カバー１０３および１０４が地面係合レール１０７および１０８上に嵌合された底部外形１０２を示す。
【００４１】
[0041]図１６は、図１１の棺１００の拡大側面図を示す。棺アセンブリ１００は、上側部１０１と、底部１０２と、支持レール１０３および１０４（隠されている）と、運搬ハンドル１０５および１０６とを含む。ハンドル１０５および１０６は、好ましくはねじ１３５および１３６を介して底部１０２に連結される。レール１０７および１０８は、底部半体１０２の本体内に形成され、棺アセンブリ１００の横方向の安定性を高めるために最適な径方向位置に配設される。ハンドル１０５および１０６がストラップとして示されているが、金属製、木材製、プラスチック製などの代替のハンドルタイプが企図されることが理解されるであろう。
【００４２】
[0042]あるいは、ハンドルは、底部１０２の本体内に成形／形成され得る。好ましくは、ハンドルは、革製であり、生分解性材料管体壁を通ってしっかりとねじ込まれ、内部木材フレーム内に固定される。ポッド（ｐｏｄ）のベースセクション１０２の全長を伸びるレール１０７および１０８は、棺壁を通って所定場所に、そしてポッドのベースセクションの全長を伸びる内部木材支柱にねじ込まれる。
【００４３】
[0043]図１７は、内部凹部１１１を露出させるために蓋上側部１０１が取り外された、図１６の実施形態を端面から示す。追加のハンドル１１２および１１３が、底部１０２の対向する側の、ハンドル１０５および１０６に対応する場所内に固定される。棺アセンブリ１００は、壁縁１１６および１１７と一緒になって内部凹部１１１を画定する端壁１１４および１１５を含む。底部１０２は、さらに、補強支柱１１８および１１９を備える。端壁１１４および１１５は、好ましくは、管体壁を通って所定場所に、そして棺のベース領域にある内部木材フレーム内にしっかりとねじ込まれる合板ディスクとして設けられる。支持レール１０６および１０７、ならびにポッドのベースセクションの全長を伸びる２つのレールの端面図は、再生紙管体壁を通って所定場所に、そしてポッドのベースセクションの全長を伸びる内部木材ビーム（ｂｅａｍ）内にねじ込まれる。溝１３０および１３１が、上部カバー１０３上の対応する縁１２６および１２７を受け入れるように形成される（図１９を参照）。
【００４４】
[0044]図１８は、底部１０２の内部表面１２０に固定された端壁１１５の補強支柱１１８および１１９を示す、棺アセンブリ１００の簡潔化された拡大図を示す。支柱１１８および１１９は、部分１０２のいくらかの補強をもたらすことに加えて、支柱１２１および１２２（図１９を参照）との共働係合ももたらす。溝１３０および１３１は拡大されている。
【００４５】
[0045]図１９は、反転され、棺アセンブリ１００から離された上部１０３を示す。上部１０３は、縁１２４および１２５内で終端する、輪郭付けられた壁１２３を備える。縁１２４および１２５は、使用時に、下側部１０２の共働支柱１１８および１１９と係合し、上側部１０３および下側部１０２を位置合わせすることを支援する支柱１２６および１２７を受け入れ、保持する。支柱１２６および１２７は、好ましくは木材であり、蓋の内部セクションの少なくとも一部であるが、好ましくは全長を伸びる。木材は、支柱の選択された長さに沿って壁材料を通って適所にしっかりとねじ込まれる。図１９に示すように、支柱１２６および１２７は、支柱１１８および１１９内の対応する溝１３０および１３１内に堅固に嵌合されるように角度を付けて切断され、ポッドのベースの骨組みによって作りだされた三角形状の溝は、ポッドのベースセクション上に配置されたとき、蓋を所定場所に保持するように設計される。
【００４６】
[0046]図２０は、対応する番号によって、完全に組立てられた棺アセンブリ１００の端面図を示す。この図から、地面係合支持体１０３および１０４の幾何学形状およびその径方向の関係が見られることが可能であり、径方向配設が安定性を付与し、回転を防止することが明らかである。内部空間１１１（図１７を参照）は、端部閉鎖壁１１４によって閉じられる。
【００４７】
[0047]本明細書において説明されるすべてのレールおよび支柱は、必要に応じて簡潔化されることが可能であるが、好ましくは横方向の不安定性に対する支持および抵抗を最大限にし、壁強化を増大させるために、棺の全長を伸びるようにサイズ設定される。
【００４８】
[0048]説明される棺は、特に、低コストの埋葬および葬儀に適合され、多くの死傷者を伴う自然災害および戦争に特に有益である。これは、部分的には、死者の火葬／埋葬目的の簡単なボール紙箱のコストに匹敵する、材料および人件コストの低下によるものである。
【００４９】
[0049]上記で説明されたアセンブリは、従来技術の構成に勝るいくつかの利点を有し、次を含む：これは、耐久性があり、軽量であり、積み重ね可能であり、経済的であり、環境に優しい。
【００５０】
[0050]本発明のすべての趣旨および範囲から逸脱することなく、数多くの変形形態および改変形態が、本明細書において広義に説明される本発明に加えられてよいことが当業者によって認識されるであろう。
【図１】
2019530513.tif 000003
【図２】
2019530513.tif 000004
【図３】
2019530513.tif 000005
【図４】
2019530513.tif 000006
【図５】
2019530513.tif 000007
【図６】
2019530513.tif 000008
【図７】
2019530513.tif 000009
【図８】
2019530513.tif 000010
【図９】
2019530513.tif 000011
【図１０】
2019530513.tif 000012
【図１１】
2019530513.tif 000013
【図１２】
2019530513.tif 000014
【図１３】
2019530513.tif 000015
【図１４】
2019530513.tif 000016
【図１５】
2019530513.tif 000017
【図１６】
2019530513.tif 000018
【図１７】
2019530513.tif 000019
【図１８】
2019530513.tif 000020
【図１９】
2019530513.tif 000021
【図２０】
2019530513.tif 000022
【国際調査報告】
2019530513.tif 000023
2019530513.tif 000024
2019530513.tif 000025